(57)【特許請求の範囲】
【請求項１】
電気モータであって、
開放端を有するハウジングと、
前記ハウジングの前記開放端を閉じるエンドキャップアセンブリと、
を備え、前記エンドキャップアセンブリは、
端子ホルダと、該端子ホルダ上に配置された電気部品とを含むブラシアセンブリと、    前記端子ホルダの外側に位置して前記ハウジングに固定されたエンドキャップと、
前記端子ホルダと前記エンドキャップとの間に取り付けられた接地プレートと、
を有し、前記接地プレートは、前記ハウジング及び前記エンドキャップの少なくとも一方に電気的に接続され、前記リードを前記ハウジング又は前記エンドキャップに電気的に接続するように前記電気部品のうちの少なくとも１つの電気部品のリードに当接する少なくとも１つの弾性変形可能構造を含み、
前記接地プレートは、本体と、前記本体から延びて少なくもと１つの弾性変形可能な構造として構成された少なくとも１つの片持ち梁を含み、
前記少なくとも１つの片持ち梁は、前記電気部品の少なくとも１つの前記リードに当接する自由端を有し、
前記少なくとも１つの片持ち梁の前記自由端及び前記電気部品の少なくとも１つの前記リードは、前記端子ホルダの少なくとも１つの収容溝に位置しており、
前記電気部品は、第１及び第２のインダクタと、第１及び第２の接地抵抗器と、第１及び第２の接地コンデンサと、ブリッジコンデンサとを含み、前記ブリッジコンデンサは、前記モータの正端子及び負端子に接続され、
前記端子ホルダ内に、第１及び第２のコネクタが配置され、前記第１及び第２のインダクタ、並びに前記第１及び第２の接地抵抗器は、前記端子ホルダの内側に前記ハウジングに面して位置付けられ、前記第１及び第２の接地コンデンサ、並びに前記ブリッジコンデンサは、前記端子ホルダの外側に前記エンドキャップに面して位置付けられる、
ことを特徴とする電気モータ。
【請求項２】
前記プレートは、本体と、該本体から延びる複数の爪部とを有し、前記爪部は、前記弾性変形可能構造として構成され、前記爪部の各々は、前記本体に接続された一端と、前記エンドキャップアセンブリから離れて斜めに延びる反対側の自由端とを有し、前記自由端は、それぞれの前記電気部品の対応する前記リードに弾性的に当接する、
ことを特徴とする請求項１に記載のモータ。
【請求項３】
前記プレートは、少なくとも１つの舌部をさらに有し、該舌部の少なくとも一部は、前記端子ホルダから離れて突出して屈曲部分を形成し、前記屈曲部分は、前記端子ホルダの表面を越えて突出して前記エンドキャップに弾性的に当接する、
ことを特徴とする請求項２に記載のモータ。
【請求項４】
前記屈曲部分は、逆Ｖ字形又は逆Ｕ字形を有するように構成される、
ことを特徴とする請求項３に記載のモータ。
【請求項５】
前記プレートは、前記ハウジングに電気的に接続するように屈曲した自由端を含む、前記本体から延びる脚部をさらに有する、
ことを特徴とする請求項２、３又は４に記載のモータ。
【請求項６】
前記プレートは、前記エンドキャップに電気的に接続し、前記電気部品は、少なくとも１つのインダクタと、少なくとも１つの接地抵抗器又は接地コンデンサとを含む、
ことを特徴とする請求項１から５のいずれか１項に記載のモータ。
【請求項７】
前記弾性変形可能構造は、前記第１及び第２の接地抵抗器の対応する接地リード、並びに前記第１及び第２の接地コンデンサの対応する接地リードにそれぞれ当接する、
ことを特徴とする請求項６に記載のモータ。
【請求項８】
前記端子ホルダの前記外側に、前記第１及び第２の接地コンデンサの構成及び配線と適合するための第１の収容部分が定められ、前記端子ホルダの前記外側に、前記ブリッジコンデンサを収容するための第２の収容部分が定められ、前記端子ホルダの前記外側に、前記第１及び第２の接地抵抗器の対応するリードを収容するための第１及び第２の収容溝が定められ、前記第１及び第２の接地コンデンサは、前記第１の収容部分に収容され、前記ブリッジコンデンサは、前記第２の収容部分に収容される、
ことを特徴とする請求項１に記載のモータ。
【請求項９】
前記第１の接地抵抗器の一方のリードは、第１の端子に接続し、第２のリードは、前記端子ホルダに挿通され、該端子ホルダの前記外側に延びて前記第１の収容溝の底面に接触し、前記第１の接地コンデンサの一方のリードは、前記第１の収容部分の底面に接触し、第２のリードは、前記端子ホルダに挿通され、該端子ホルダの前記内側に延びて前記第１の端子に接続し、前記第２の接地抵抗器の一方のリードは、第２の端子に接続し、第２のリードは、前記端子ホルダに挿通され、該端子ホルダの前記外側に延び、屈曲して前記第２の収容溝の底面に接触し、前記第２の接地コンデンサの一方のリードは、前記第１の収容部分の前記底面に接触し、第２のリードは、前記端子ホルダに挿通され、該端子ホルダの前記内側に延びて前記第２の端子に接続し、前記ブリッジコンデンサの一方のリードは、前記端子ホルダに挿通され、延びて前記第１の端子に接続し、前記ブリッジコンデンサの第２のリードは、前記端子ホルダに挿通され、延びて前記第２の端子に接続する、
ことを特徴とする請求項８に記載のモータ。
【請求項１０】
前記端子ホルダに、前記プレートが収容される第３の収容部分が定められる、
ことを特徴とする請求項１から９のいずれか１項に記載のモータ。
【請求項１１】
前記端子ホルダに、位置決めポストが定められ、前記プレートに、対応する第１の位置決め穴が定められ、前記位置決めポストは、前記第１の位置決め穴に挿通される、
ことを特徴とする請求項１０に記載のモータ。
【請求項１２】
前記プレートの中心に、前記端子ホルダに面する第１の隆起部が形成され、前記端子ホルダに、前記第１の隆起部を収容するための第１の凹部が形成される、
ことを特徴とする請求項１１に記載のモータ。
【請求項１３】
前記プレートに、前記第１の隆起部に対応する第２の凹部が定められ、前記エンドキャップに、前記第２の凹部に対応する第２の隆起部が形成され、前記エンドキャップに、前記端子ホルダの前記位置決めポストに対応する第２の位置決め穴が定められ、前記第２の隆起部は、前記プレートの前記第２の凹部に位置合わせされて収容され、前記端子ホルダの前記位置決めポストは、前記エンドキャップの前記第２の位置決め穴にそれぞれ配置される、
ことを特徴とする請求項１２に記載のモータ。
【請求項１４】
前記ハウジングの前記開放端に、切欠きが定められ、前記端子ホルダに、対応する耳部が形成され、前記耳部は、前記切欠き内に配置される、
ことを特徴とする請求項１から１３のいずれか１項に記載のモータ。
【請求項１５】
前記ハウジングの前記開放端から、複数のほぞが軸方向に延び、前記エンドキャップに、前記ハウジングの前記ほぞに対応する複数のほぞ穴が定められ、前記ほぞは、前記ほぞ穴を貫いて延び、前記エンドキャップを前記ハウジングに固定するように変形する、
ことを特徴とする請求項１から１４のいずれか１項に記載のモータ。
【請求項１６】
前記ハウジングの前記開放端の外周縁から、半径方向外向きに複数の第１の支持部分が延び、前記第１の支持部分の各々の中心に、第１の貫通穴が定められ、前記エンドキャップに、前記第１の支持部分に対応する複数の第２の支持部分が形成され、該第２の支持部分の各々に、前記モータを装置に固定するための締結具を収容するための、前記第１の貫通穴に対応する第２の貫通穴が定められる、
ことを特徴とする請求項１から１５のいずれか１項に記載のモータ。
【請求項１７】
前記第１の支持部分に、複数の開口部が定められ、前記エンドキャップに、複数の突起部が形成され、前記突起部は、前記開口部内に配置されて、前記エンドキャップを前記ハウジングに対して位置付ける、
ことを特徴とする請求項１６に記載のモータ。
【発明の詳細な説明】
【技術分野】
【０００１】
本発明は、電気モータに関し、具体的には、接地接続部を有するエンドキャップアセンブリに関する。
【背景技術】
【０００２】
ブラシ型電気モータは、整流時に電磁放射を生じる。電磁放射は、近隣の電子装置に電磁干渉（ＥＭＩ）を引き起こす。通常は、他の電気装置に伝わるＥＭＩを低減するためにモータハウジングを接地し、ＥＭＩを抑制するためにフィルタを追加する。図１に示すように、典型的なモータの接地接続構造は、端子ホルダの片側に取り付けられた電気部品を含む。これらの部品は、２つのインダクタＬ１’、Ｌ２’と、対応する端子によってそれぞれインダクタＬ１’、Ｌ２’に接続された２つの接地抵抗器Ｒ１’、Ｒ２’とを含む。接地抵抗器Ｒ１’の一方のリードと、接地抵抗器Ｒ２’の一方のリードは、端子に接続される。接地抵抗器Ｒ１’の他方のリードと、接地抵抗器Ｒ２’の他方のリードは、端子ホルダの周囲のスロット内に入り込んで端子ホルダの反対側に延びる。組立時には、最初にモータハウジング内に端子ホルダを配置し、次にハウジングにエンドキャップを接続する。その後、接地抵抗器Ｒ１’の他方のリード及び接地抵抗器Ｒ２’の他方のリードをエンドキャップの内面上に載置し、エンドキャップに電気的に接続して接地接続を行う。図１は、接地接続部の概略回路図である。インダクタＬ１’、Ｌ２’は、正及び負のブラシとモータ端子との間に接続され、モータは、接地抵抗器Ｒ１’、Ｒ２’を介して接地される。
【０００３】
端子ホルダとハウジングの間、及び／又はモータハウジングとエンドキャップの間にリードを挟むことによって抵抗器をモータハウジングに接続する方法では、特に設計者がモータのモータ効率を高めてモータの出力密度を増やそうとした時に、ハウジング及び／又はエンドキャップが変形してモータに望ましくない影響が及ぶ。また、部品同士が相対的に動くことにより、高温及び高振動環境では電気的接続が不安定になることもある。
【０００４】
また、ハウジング、端子ホルダ及びエンドキャップの製造公差によって電気的接続の信頼性が低くなり、モータの接地接続部に不具合が生じることもある。
【発明の概要】
【発明が解決しようとする課題】
【０００５】
従って、高温及び高振動環境下においても接地接続の信頼性が高いエンドキャップアセンブリを有する電気モータに対する要望がある。
【課題を解決するための手段】
【０００６】
従って、開放端を有するハウジングと、ハウジングの開放端を閉じるエンドキャップアセンブリとを備え、エンドキャップアセンブリは、端子ホルダと、該端子ホルダ上に配置された電気部品とを含むブラシアセンブリと、端子ホルダの外側に位置してハウジングに固定されたエンドキャップと、端子ホルダとエンドキャップとの間に取り付けられた接地プレートとを有し、プレートは、ハウジング及びエンドキャップの少なくとも一方に電気的に接続され、リードをハウジング又はエンドキャップに電気的に接続するように電気部品のうちの少なくとも１つの電気部品のリードに当接する少なくとも１つの弾性変形可能構造を含む、電気モータを提供する。
【０００７】
プレートは、本体と、本体から延びる複数の爪部とを有し、爪部は、弾性変形可能構造として構成され、各爪部は、本体に接続された一端と、エンドキャップアセンブリから離れて斜めに延びる反対側の自由端とを有し、この自由端は、それぞれの電気部品の対応するリードに弾性的に当接することが好ましい。
【０００８】
プレートは、少なくとも１つの舌部をさらに有し、舌部の少なくとも一部は、端子ホルダから離れて突出して屈曲部分を形成し、この屈曲部分は、端子ホルダの表面を越えて突出してエンドキャップに弾性的に当接することが好ましい。
【０００９】
屈曲部分は、逆Ｖ字形又は逆Ｕ字形を有するように構成されることが好ましい。
【００１０】
プレートは、ハウジングに電気的に接続するように屈曲した自由端を含む、本体から延びる脚部をさらに有することが好ましい。
【００１１】
プレートは、エンドキャップに電気的に接続し、電気部品は、少なくとも１つのインダクタと、少なくとも１つの接地抵抗器又は接地コンデンサとを含むことが好ましい。
【００１２】
電気部品は、第１及び第２のインダクタと、第１及び第２の接地抵抗器と、第１及び第２の接地コンデンサと、ブリッジコンデンサとを含み、ブリッジコンデンサは、モータの正端子及び負端子に接続され、弾性変形可能構造は、第１及び第２の接地抵抗器の対応する接地リード、並びに第１及び第２の接地コンデンサの対応する接地リードにそれぞれ当接することが好ましい。
【００１３】
端子ホルダ内には、第１及び第２のコネクタが配置され、第１及び第２のインダクタ、並びに第１及び第２の接地抵抗器は、端子ホルダの内側にハウジングに面して位置付けられ、第１及び第２の接地コンデンサ、並びにブリッジコンデンサは、端子ホルダの外側にエンドキャップに面して位置付けられることが好ましい。
【００１４】
端子ホルダの外側には、第１及び第２の接地コンデンサの構成及び配線と適合するための第１の収容部分が定められ、端子ホルダの外側には、ブリッジコンデンサを収容するための第２の収容部分が定められ、端子ホルダの外側には、第１及び第２の接地抵抗器の対応するリードを収容するための第１及び第２の収容溝が定められ、第１及び第２の接地コンデンサは、第１の収容部分に収容され、ブリッジコンデンサは、第２の収容部分に収容されることが好ましい。
【００１５】
第１の接地抵抗器の一方のリードは、第１の端子に接続し、第２のリード、端子ホルダに挿通され、端子ホルダの外側に延びて第１の収容溝の底面に接触し、第１の接地コンデンサの一方のリードは、第１の収容部分の底面に接触し、第２のリードは、端子ホルダに挿通され、端子ホルダの内側に延びて第１の端子に接続し、第２の接地抵抗器の一方のリードは、第２の端子に接続し、第２のリードは、端子ホルダに挿通され、端子ホルダの外側に延び、屈曲して第２の収容溝の底面に接触し、第２の接地コンデンサの一方のリードは、第１の収容部分の底面に接触し、第２のリードは、端子ホルダに挿通され、端子ホルダの内側に延びて第２の端子に接続し、ブリッジコンデンサの一方のリードは、端子ホルダに挿通され、延びて第１の端子に接続し、ブリッジコンデンサの第２のリードは、端子ホルダに挿通され、延びて第２の端子に接続することが好ましい。
【００１６】
端子ホルダには、プレートが収容される第３の収容部分が定められることが好ましい。
【００１７】
端子ホルダには、位置決めポストが定められ、プレートには、対応する第１の位置決め穴が定められ、位置決めポストは、第１の位置決め穴に挿通されることが好ましい。
【００１８】
プレートの中心には、端子ホルダに面する第１の隆起部が形成され、端子ホルダには、第１の隆起部を収容するための第１の凹部が形成されることが好ましい。
【００１９】
プレートには、第１の隆起部に対応する第２の凹部が定められ、エンドキャップには、第２の凹部に対応する第２の隆起部が形成され、エンドキャップには、端子ホルダの位置決めポストに対応する第２の位置決め穴が定められ、第２の隆起部は、プレートの第２の凹部に位置合わせされて収容され、端子ホルダの位置決めポストは、エンドキャップの第２の位置決め穴にそれぞれ配置されることが好ましい。
【００２０】
ハウジングの開放端には、切欠きが定められ、端子ホルダには、対応する耳部が形成され、耳部は切欠き内に配置されることが好ましい。
【００２１】
ハウジングの開放端からは、複数のほぞが軸方向に延び、エンドキャップには、ハウジングのほぞに対応する複数のほぞ穴が定められ、ほぞは、ほぞ穴を貫いて延び、エンドキャップをハウジングに固定するように変形することが好ましい。
【００２２】
ハウジングの開放端の外周縁からは、半径方向外向きに複数の第１の支持部分が延び、第１の支持部分の各々の中心には、第１の貫通穴が定められ、エンドキャップには、第１の支持部分に対応する複数の第２の支持部分が形成され、第２の支持部分の各々には、モータを装置に固定するための締結具を収容するための、第１の貫通穴に対応する第２の貫通穴が定められることが好ましい。
【００２３】
第１の支持部分には、複数の開口部が定められ、エンドキャップには、複数の突起部が形成され、これらの突起部は、開口部内に配置されて、エンドキャップをハウジングに対して位置付けることが好ましい。
【００２４】
以下、添付図面の図を参照しながら、本発明の好ましい実施形態をほんの一例として説明する。図では、複数の図に出現する同一の構造、要素又は部品には、一般にこれらが出現する全ての図において同じ参照番号を付している。一般に、図に示す構成要素及び特徴部の寸法は、表現の便宜上明瞭にするために選択したものであり、必ずしも縮尺通りではない。以下、各図を列挙する。
【図面の簡単な説明】
【００２５】
【図１】先行技術のモータで使用されている接地接続部の概略回路図である。
【図２】本発明の好ましい実施形態による接地接続部を有する電気モータの分解図である。
【図３】図２のモータの組立図である。
【図４】図２のモータのブラシアセンブリを内側から見た図である。
【図５】図４のブラシアセンブリを外側から見た図である。
【図６】モータの接地接続構造の主要部品を形成する接地プレートを示す図である。
【図７】図６の接地プレートを別の側から見た図である。
【図８】ブラシアセンブリの外側に取り付けられた接地プレートを示す図である。
【図９】図２のモータの一部であるエンドキャップを示す図である。
【図１０】モータのエンドキャップアセンブリの断面図である。
【図１１】エンドキャップアセンブリの別の断面図である。
【図１２】図２のモータの概略回路図である。
【図１３】第２の実施形態によるモータのエンドキャップを除去した組立図である。
【図１４】ブラシアセンブリから離間した接地プレートを示す、エンドキャップを省いた図１３のモータの部分的分解図である。
【発明を実施するための形態】
【００２６】
図２〜図１２を参照すると、好ましい実施形態による、接地接続部を備えたエンドキャップアセンブリを有するモータが、ハウジング１と、ハウジング１の開放端に装着されたブラシアセンブリ３と、ブラシアセンブリ３の外側に位置してハウジング１上に固定されたエンドキャップ５と、ブラシアセンブリ３とエンドキャップ５の間に固定されたプレート７とを含む。
【００２７】
本実施形態では、ハウジング１、エンドキャップ５及びプレート７が、高導電性金属材料で作製される。ハウジング１、エンドキャップ５及びプレート７は、高導電性非金属材料などの他の好適な材料で作製することもできる。ハウジング１は、ステータの戻り磁路の少なくとも一部を形成するように導磁性材料で作製されることが好ましい。
【００２８】
具体的には、ハウジング１は、一端が開放されて他端が閉鎖された実質的に円筒形状を有する。開放端には、ブラシアセンブリ３に形成された耳部３１８と適合することによってブラシアセンブリ３を支持するための複数の切欠き１８が形成される。開放端からは、エンドキャップ５に形成されたほぞ穴５７と適合することによってエンドキャップ５をハウジング１に固定するための複数のほぞ１７が軸方向に沿って延びる。本実施形態では、各ほぞ１７が実質的にＶ字形である。開放端の周縁部からは、複数の第１の支持部分１１が半径方向外向きに延びる。各第１の支持部分１１には、ボルトなどの締結具が貫通できる第１の貫通穴１１１が形成される。第１の支持部分１１には、エンドキャップ５に形成された突起部５１３（図３及び図９を参照）と適合するための開口部１１３も形成される。
【００２９】
図４及び図５を参照して分かるように、ブラシアセンブリ３は、端子ホルダ３１を含む。端子ホルダ３１の円周方向プロファイルは、実質的に円柱面である。円柱面の直径は、ハウジング１の開放端の直径と等しく又はわずかに小さく、これによってハウジング１の開放端に端子ホルダ３１を収容することができる。端子ホルダ３１の外周からは、複数の耳部３１８が半径方向外向きに延びる。各耳部３１８は、ハウジング１の対応する切欠き１８と適合するように位置付けられる。端子ホルダ３１の耳部３１８は、ブラシアセンブリ３がハウジング１に固定された後にハウジングの切欠き１８に押し込まれることにより、ブラシアセンブリ３のハウジング１に対する円周方向回転及び軸方向移動を制限する。
【００３０】
ブラシアセンブリ３の一部は、電気部品によって形成される。これらの電気部品は、第１及び第２のインダクタＬ１、Ｌ２と、第１及び第２の接地抵抗器Ｒ１、Ｒ２と、第１及び第２の接地コンデンサＣ１、Ｃ２と、モータの正端子及び負端子に接続されたブリッジコンデンサＣ３とを含む。第１及び第２のインダクタＬ１、Ｌ２、並びに第１及び第２の接地抵抗器Ｒ１、Ｒ２は、端子ホルダ３１のハウジング１の内部に面する側、すなわち端子ホルダ３１の内側に配置される。第１及び第２の接地コンデンサＣ１、Ｃ２、並びにブリッジコンデンサＣ３は、端子ホルダ３１のエンドキャップ５に面する逆側、すなわち端子ホルダ３１の外側に位置する。このような電気部品の配置は、端子ホルダ３１の両側の空間を効率的に利用して、端子ホルダ３１の半径方向寸法及びモータの体積を減少させることができる。
【００３１】
ブラシアセンブリ３は、端子ホルダ３１によって支持された、第１及び第２のモータ端子３３、３５と、第１及び第２のコネクタ３７、３９とをさらに含む。
【００３２】
さらに、端子ホルダ３１は、電気絶縁材料で作製される。端子ホルダ３１は、プラスチック材料を射出成形することによって作製されることが好ましい。端子ホルダ３１には、第１及び第２の端子３３、３５が挿入され、互いに端子ホルダ３１の半径方向に向かい合って位置付けられる。第１及び第２の端子３３、３５は、それぞれ第１及び第２のインダクタによってモータの正及び負のブラシに間接的に接続される。第１のインダクタＬ１は、第１の端子３３と第１のコネクタ３７との間に電気的に接続される。第１のコネクタ３７は、リード線を介してモータの第１のブラシ２に接続し、これによって第１のインダクタＬ１と第１のブラシ２とが直列に接続される。第２のインダクタＬ２は、第２の端子３５と第２のコネクタ３９との間に電気的に接続される。第２のコネクタ３９は、リード線を介してモータの第２のブラシ４に接続し、これによって第２のインダクタＬ２と第２のブラシ４とが直列に接続される。ブラシ及びコネクタを接続するために使用するリード線は、一般にブラシシャントと呼ばれる。
【００３３】
端子ホルダ３１の外側には、第１及び第２の接地コンデンサＣ１、Ｃ２の構成及び配線と適合するための第１の収容部分３１１が定められる。端子ホルダ３１の外側には、ブリッジコンデンサＣ３の構成及び配線と適合するための第２の収容部分３１３も定められる。端子ホルダ３１の外側には、第１及び第２の接地抵抗器Ｒ１、Ｒ２の対応するリードと適合するための第１及び第２の収容溝３１５、３１７も定められる。第１及び第２の収容部分３１１、３１３の底面、並びに第１及び第２の収容溝３１５、３１７の底面は、端子ホルダ３１の外面よりも下方に存在する。
【００３４】
第１の接地抵抗器Ｒ１の一方のリードＲ１ａは、第１の端子３３の一端に接続される。第１の接地抵抗器Ｒ１のもう一方のリードＲ１ｂは、端子ホルダ３１の第１のボア３１９に挿通されて端子ホルダ３１の外側に延び、屈曲して第１の収容溝３１５の底面に接触する。第１のコンデンサＣ１は、第１の収容部分３１１に収容される。第１のコンデンサＣ１の一方のリードＣ１ａは、第１の収容部分３１１の底面に接触する。第１のコンデンサＣ１のもう一方のリードＣ１ｂは、端子ホルダ３１の第２のボア３２１に挿通され、内側に延びて第１の端子３３に接続される。
【００３５】
第２の接地抵抗器Ｒ２の一方のリードＲ２ａは、第２の端子３５の端部に接続される。第２の接地抵抗器Ｒ２のもう一方のリードＲ２ｂは、端子ホルダ３１の第３のボア３２３に挿通されて端子ホルダ３１の外側に延び、屈曲して第２の収容溝３１７の底面に接触する。第２のコンデンサＣ２は、第１の収容部分３１１に収容される。第２のコンデンサＣ２の一方のリードＣ２ａは、第１の収容部分３１１の底面に接触する。第２のコンデンサＣ２のもう一方のリードＣ２ｂは、端子ホルダ３１の第４のボア３２５に挿通され、内側に延びて第２の端子に接続される。
【００３６】
ブリッジコンデンサＣ３は、第２の収容部分３１３に収容される。ブリッジコンデンサＣ３の一方のリードＣ３ａは、端子ホルダ３１の第５のボア３２７に挿通され、内側に延びて第１の端子３３に接続される。ブリッジコンデンサＣ３のもう一方のリードＣ３ｂは、端子ホルダ３１の第６のボア３２９に挿通され、内側に延びて第２の端子３５に接続される。
【００３７】
リードＣ１ｂ、Ｒ１ａ及びＣ３ａ、並びにリードＣ２ｂ、Ｒ２ａ及びＣ３ｂは、端子内に形成されたスロットへの圧入などの機械式接続によって、それぞれ第１の端子３３、並びに第２の端子３５に接続されることが好ましい。或いは、これらのリードは、スポット溶接によって端子に接続することもできる。
【００３８】
なお、第１及び第２のインダクタＬ１、Ｌ２、第１及び第２の接地抵抗器Ｒ１、Ｒ２、第１及び第２の接地コンデンサＣ１、Ｃ２、並びにブリッジコンデンサＣ３は、−４０℃〜１５０℃の広範囲の温度に耐えることができる。コンデンサＣ１、Ｃ２及びＣ３は、電気的雑音（ＥＭＩ）を低下させるためのフィルタ回路を形成する。
【００３９】
端子ホルダ３１の外側には、プレート７を収容するための第３の収容部分３１２が定められる。第３の収容部分３１２の底面は、端子ホルダ３１の外側の面よりも下方であって、第１及び第２の収容部分３１１、３１３の底面、並びに第１及び第２の収容溝３１５、３１７の底面よりも上方に配置される。第３の収容部分３１２の深さは、その中にプレート７をぴったりと受け入れるようにプレート７の厚みと実質的に等しいことが好ましい。或いは、第３の収容部分３１２の深さは、プレート７の厚みよりもわずかに大きく又は小さくすることもできる。第３の収容部分３１２の中心には、概ね円環形を有する第１の凹部３１４が定められる。端子ホルダ３１の外面上には、プレート７及びエンドキャップ５を位置決めするための２つの位置決めポスト３１６が形成される。
【００４０】
図６、図７及び図８を参照すると、プレート７は、金属などの導電性材料で作製される。プレート７は、本体７１と、本体７１から延びる複数の爪部７３と、本体７１から延びる少なくとも１つの舌部７５とを含む。爪部７３及び舌部７５は、本体７１から延びて弾性変形可能な構造を形成する片持ち梁として構成される。各爪部は細長く、端子ホルダ３１から自由端まで下方に傾斜して延びる。各舌部７５は細長く、中間部分に逆Ｖ字形又は逆Ｕ字形の屈曲部分７５１が形成され、端子ホルダ３１から離れて突出する。屈曲部分７５１の頂部は、端子ホルダ３１の外面よりも上方に突出する。プレート７は、本体７１の内側中央に第１の環状隆起部７８をさらに形成し、外側には対応する第２の環状凹部７７を形成する。本体７１には、端子ホルダの位置決めポスト３１６を受け入れるための２つの第１の位置決め穴７９が定められる。第１の位置決め穴７９は、円形であることが好ましい。本実施形態では、爪部の数が４であり、接地される電気部品のリードの数に等しい。本実施形態では、舌部の数は２である。当然ながら、爪部７３及び舌部７５の数は、望むように変更することができる。
【００４１】
図８に示すように、プレート７は、端子ホルダに取り付けられると、第３の収容部分３１２に収容される。４つの爪部７３の自由端は、それぞれ、端子ホルダ３１の対応する収容部分又は収容溝内に位置する第１の接地抵抗器Ｒ１のリードＲ１ｂ、第２の接地抵抗器Ｒ２のリードＲ２ｂ、第１の接地コンデンサＣ１のリードＣ１ａ及び第２の接地コンデンサＣ２のリードＣ２ａ上に載る。第１の隆起部７８は、端子ホルダの第１の凹部３１４に収容される。
【００４２】
図９を参照して分かるように、エンドキャップ５には、ハウジング１の第１の支持部分１１に対応する第２の支持部分５１が形成される。第１及び第２の支持部分１１、５１は、同じ構成を有する。第２の支持部分には、第１の支持部分の第１の貫通穴１１１に対応する第２の貫通穴５１１が形成される。エンドキャップ５は、ハウジング１のほぞ１７に対応するほぞ穴５７と、ハウジング１の開口部１１３に対応する突起部５１３とを有する。エンドキャップ５には、プレート７の第２の凹部７７に対応する第２の環状隆起部５３が形成される。エンドキャップ５には、端子ホルダ３１の２つの位置決めポスト３１６に対応する２つの第２の位置決め穴５５が定められる。第２の位置決め穴５５は、円形であることが好ましい。
【００４３】
図１０及び図１１も参照すると、組立時には、端子ホルダ３１の耳部３１８が、ハウジング１の切欠き１８に押し込まれ、第１の隆起部７８及び第１の位置決め穴７９が、端子ホルダ３１の第１の凹部３１４及び位置決めポスト３１６とそれぞれ位置合わせされ、プレート７が、端子ホルダ３１の第３の収容部分３１２に収容され、プレート７の爪部７３が、第１の接地抵抗器Ｒ１のリードＲ１ｂ、第２の接地抵抗器Ｒ２のリードＲ２ｂ、第１の接地コンデンサＣ１のリードＣ１ａ及び第２の接地コンデンサＣ２のリードＣ２ａとそれぞれ接触するようにして、ブラシアセンブリ３をハウジングの開放端に取り付ける。この時、エンドキャップ５とハウジング１の正確な位置決めが行われるように、エンドキャップ５を、ハウジングの開放端を閉じるように位置付け、突起部５１３を、ハウジング１の開口部５１３内に配置する。同時に、ハウジング１のほぞ１７をエンドキャップ５のほぞ穴５７に挿通し、第２の隆起部５３をプレート７の第２の凹部７７に位置合わせして収容し、端子ホルダ３１の位置決めポスト３１６をエンドキャップ５の第２の位置決め穴５５に挿通する。ほぞ１７は、ほぞ穴５７に挿通された後に外向きに変形してエンドキャップ５をハウジング１に固定する。モータを装置又は機器に取り付けるには、エンドキャップ５の第２の支持部分５１とハウジング１の第１の支持部分１１とを位置合わせして、第１及び第２の貫通穴１１１、５１１にボルトなどの締結具を挿通できるようにする。
【００４４】
組立後には、エンドキャップ５が、端子ホルダ３１の表面よりも上方に突出する舌部７５の屈曲部分７５１に載る。プレート７は、端子ホルダとエンドキャップの間で圧迫され、これによって爪部７３が、第１の接地抵抗器Ｒ１のリードＲ１ｂ、第２の接地抵抗器Ｒ２のリードＲ２ｂ、第１の接地コンデンサＣ１のリードＣ１ａ及び第２の接地コンデンサＣ２のリードＣ２ａにそれぞれ弾性的に当接し、舌部がエンドキャップに当接して、エンドキャップ５との間に信頼性の高い電気的接地接続を確立する。
【００４５】
図１２に、接地接続部の概略的な回路図を示す。第１及び第２のインダクタＬ１、Ｌ２は、正及び負のブラシとモータの端子との間に接続される。第１のインダクタＬ１は、第１の接地抵抗器Ｒ１及び第１の接地コンデンサＣ１の各々に接続されて接地接続を確立する。第２のインダクタＬ２は、第２の接地抵抗器Ｒ２及び第２の接地コンデンサＣ２の各々に接続されて接地接続を確立する。ブリッジコンデンサＣ３は、モータの正及び負の端子間に接続される。第１及び第２の接地コンデンサＣ１、Ｃ２は、コモンモードＥＭＩをフィルタ処理することができる。ブリッジコンデンサＣ３は、ディファレンシャルモードＥＭＩをフィルタ処理することができる。従って、ＥＭＩを効果的に抑制し、高ＥＭＣを得ることができる。エンドキャップ５とハウジングとが確実に固定されることにより、プレート７が常に弾性的に圧迫されることが保障され、このことは、爪部７３と電気部品の対応するリードとの間の確実な接続、及び高耐振性の実現にとって有益である。
【００４６】
図１３及び図１４に、本発明の別の実施形態による接地接続部を備えたエンドキャップアセンブリを有するモータを示す。本実施形態のモータと上述の実施形態のモータとの主な違いは、プレート７が、延長脚部７６をさらに含む点である。脚部７６は、接地接続をさらに確実にするために、ハウジング１の開放端を越えて延びる自由端まで本体７１から延び、屈曲してハウジング１に電気的に接続する細長いものであることが好ましい。具体的には、ハウジングの開放端の周縁部に陥凹部１９が定められる。陥凹部１９の深さは、延長脚部７６の厚みに等しいことが好ましい。脚部７６は、陥凹部１９を貫いて伸び、エンドキャップから離れる方向に屈曲してハウジング１の円周面に接触する。ハウジング１に接触する脚部７６は、接地接続をさらに確実にする。この実施形態では、脚部７６が、エンドキャップ及びハウジングの両方に接続される。従って、たとえエンドキャップが非導電性材料で作製されていても、本実施形態において提供する構造は、モータのハウジングと直接電気的に接触する脚部７６によって接地接続を実現することができる。従って、本実施形態において提供するプレート７は、導電性エンドキャップの有無に関わらずモータ内で利用することができる。
【００４７】
当然ながら、脚部７６は、ハウジング１を越えずに屈曲してハウジング１の内面に接するように構成することもできる。このような構成でも、脚部７６とハウジング１の間の電気的接続を実現することができる。端子ホルダ３内に十分な空間が存在する場合、脚部７６は、内向きに傾斜した後に外向きに（エンドキャップ５に向かって）延びて弾性的な屈曲部分を形成することができる。この屈曲部分は、ハウジングの内面に接触して電気的に接続される。
【００４８】
本発明において提供する接地接続構造を有するモータは、モータの正端子と負端子の間に２つの接地コンデンサ及びブリッジコンデンサを使用することにより、ＥＭＩを効果的に抑制して高ＥＭＣを得ることができる。弾性構造を有するプレートは、エンドキャップがハウジングに固定された後の圧縮に耐え、従ってプレートの爪部と電気部品の対応するリードとの間の確実な接続を保証し、これによって高温及び高振動環境下においてもエンドキャップによって安定した接地接続を実現することができる。
【００４９】
本出願の明細書及び特許請求の範囲では、記述する項目又は特徴の存在を明示する一方でさらなる項目又は特徴の存在を排除しないように、「備える、含む、有する（ｃｏｍｐｒｉｓｅ、ｉｎｃｌｕｄｅ、ｃｏｎｔａｉｎ及びｈａｖｅ）」という動詞、並びにその派生形の各々を包括的な意味で使用している。
【００５０】
明確化のために別個の実施形態の文脈で説明した本発明のいくつかの特徴は、単一の実施形態において組み合わせて提供することもできると理解されたい。これとは逆に、簡潔さを期すために単一の実施形態の文脈で説明した本発明の様々な特徴を別個に、又はいずれかの好適な下位の組み合わせで提供することもできる。
【００５１】
上述した実施形態はほんの一例にすぎず、当業者には、添付の特許請求の範囲によって規定される本発明の範囲から逸脱することなく、他の様々な修正が明らかである。
【符号の説明】
【００５２】
１  ハウジング
３  ブラシアセンブリ
５  エンドキャップ
７  プレート
１１  第１の支持部分
１７  ほぞ
１８  切欠き
５１  第２の支持部分
５７  ほぞ穴
７３  爪部
７５  舌部
１１１  第１の貫通穴
１１３  開口部
３１８  耳部３
５１１  第２の貫通穴
Ｃ１  第１の接地コンデンサ
Ｃ２  第２の接地コンデンサ
Ｃ３  ブリッジコンデンサ
【図１】
0006668007.tif 000002
【図２】
0006668007.tif 000003
【図３】
0006668007.tif 000004
【図４】
0006668007.tif 000005
【図５】
0006668007.tif 000006
【図６】
0006668007.tif 000007
【図７】
0006668007.tif 000008
【図８】
0006668007.tif 000009
【図９】
0006668007.tif 000010
【図１０】
0006668007.tif 000011
【図１１】
0006668007.tif 000012
【図１２】
0006668007.tif 000013
【図１３】
0006668007.tif 000014
【図１４】
0006668007.tif 000015